(57)【要約】      （修正有）【課題】赤外線センサの加熱コイルユニットへの誤装着を防ぐこと。【解決手段】複数の第１の加熱コイルユニット６及び第２の加熱コイルユニット７それぞれのコイル支持板５に設けた複数の第１のセンサユニット取付部５ｂ、第２のセンサユニット取付部５ｃのうち、センサユニット９の所定の取付部以外の第１のセンサユニット取付部５ｂまたは第２のセンサユニット取付部５ｃの下方に支持台１３から上方へ突き出した突起部１３ｂを設け、突起部１３ｂの先端はセンサユニット９下面より上方に位置し、センサユニット９を誤って所定外の第１のセンサユニット取付部５ｂまたは第２のセンサユニット取付部５ｃに取り付けた場合、第１の加熱コイルユニット６または第２の加熱コイルユニット７が所定の位置より持ち上がった状態となることにより、天板を本体に装着できない構成とした。【選択図】図５
2012156041.tif 000002
【特許請求の範囲】
【請求項１】
外郭を構成する誘導加熱調理器本体の上部に位置し、複数の調理容器を載置する天板と、前記天板の下方に所定の間隔で設けられ、交流磁界を発生して調理容器を誘導加熱する加熱コイルと前記加熱コイルを支持するコイル支持板を有する第１及び第２の加熱コイルユニットと、前記第１及び第２の加熱コイルユニット下方に位置し、前記第１及び第２の加熱コイルユニットを支持する支持台と、前記コイル支持板に設けられ、調理容器から放射される赤外線を検出する受光部を含むセンサユニットと、前記受光部の出力に応じて前記加熱コイルに供給する電力を制御する制御手段とを備え、前記コイル支持板は、前記センサユニットを取り付けるためのセンサユニット取付部を複数箇所有し、前記第２の加熱コイルユニットは、前記第１の加熱コイルユニットに対して所定の角度を回転した向きに配置され、前記第１及び第２の加熱コイルユニットそれぞれの前記センサユニットは、前記誘導加熱調理器本体を上方から見て前記加熱コイル中心から同じ位置に位置するよう、複数の前記センサユニット取付部のそれぞれ異なる位置に取り付けられた誘導加熱調理器において、前記支持台に上方へ突き出した複数の突起部を設け、前記突起部は、前記第１及び第２の加熱コイルユニットの前記コイル支持板の前記センサユニットが取り付けられていない前記センサユニット取付部に対向し、前記突起部の先端は前記センサユニット下面より上方に位置するよう構成した誘導加熱調理器。
【請求項２】
センサユニットを第１または第２の加熱コイルユニットのコイル支持板に設けられた複数のセンサユニット取付部のうち、所定箇所以外に取り付けた場合、支持台に設けられた突起部先端に前記センサユニットの下面が当接することにより、前記第１または第２の加熱コイルユニットが所定の位置より持ち上がり、天板が誘導加熱調理器本体に装着できない構成とした請求項１に記載の誘導加熱調理器。
【請求項３】
第１及び第２の加熱コイルユニットを同部材で同形状に構成した請求項１または２に記載の誘導加熱調理器。
【請求項４】
突起部を支持台と一体で構成した請求項１〜３のいずれか１項に記載の誘導加熱調理器。
【発明の詳細な説明】
【技術分野】
【０００１】
本発明は、赤外線センサを用いて調理容器の温度を制御する誘導加熱調理器に関するものである。
【背景技術】
【０００２】
従来、この種の誘導加熱調理器は、例えば特許文献１のように、調理容器から放射される赤外線を検出する受光部を含むセンサユニットが複数の加熱コイルユニットにそれぞれ１つずつ設けられている。加熱コイルユニットは、調理容器を誘導加熱する加熱コイルと加熱コイルを支持するコイル支持板等から構成されている。
【０００３】
誘導加熱調理器本体の上部に位置し調理容器を載置する天板は、赤外線を透過する結晶化ガラス等の高耐熱の絶縁材料により形成されている。受光部に対向した天板には、調理容器からの赤外線を受光部に照射するための赤外線入射領域が形成されており、入射領域を除いた範囲は、日光等の外乱光による受光部への影響を防ぐため、赤外線が透過しないよう遮光膜が印刷等の手段により形成されている。
【０００４】
また、複数の加熱コイルユニットそれぞれのセンサユニットは、それぞれの加熱コイル中央から所定の距離離れた同じ位置に配置されている。
【０００５】
センサユニットを加熱コイル中央ではなく中央から所定の距離離れた位置に配する理由は、特許文献１で述べているように、加熱コイルはその外周部や内周部より中間部が磁束密度が高くなり、調理容器を加熱した際、調理容器底面中央部よりも加熱コイル中間部の上方の方が調理容器の温度が高温となるため、この近傍にセンサユニットを配置した方が調理容器の高温部を精度良く検出することができ、その測定結果を用いて加熱コイルに供給する電力を制御することで、調理容器の温度を応答良くより正確に制御することができるためである。
【０００６】
しかしながら、誘導加熱調理器本体のスペースの制約上、複数の加熱コイルユニットは、必ずしも誘導加熱調理器本体に対して同じ向きに配置できるとは限らず、互いに異なる向きに配置した場合でもそれぞれの加熱コイルユニットの所定位置にセンサユニットが配置できるよう、加熱コイルユニットのコイル支持板に複数のセンサユニット取付部が設けられている。
【０００７】
これにより、複数の加熱コイルユニットを共用の部材からなる同形状とすることができるため、類似部品の使用間違いを防止でき、また、部品の種類増加を抑制できることで部品管理の煩わしさも軽減し、コストも抑制することができる。
【先行技術文献】
【特許文献】
【０００８】
【特許文献１】特開２００９−５９５９２号公報
【発明の概要】
【発明が解決しようとする課題】
【０００９】
しかしながら、前記従来の構成では、複数の加熱コイルユニットは同一または同等の形状及び構成で、主にセンサユニットの取付位置のみ異なるものであるため、組立工程において、コイル支持板に設けられた複数のセンサユニット取付部のうち、誤って所定外のセンサユニット取付部にセンサユニットが取り付けられた場合、センサユニットの赤外線受
光部が天板の赤外線入射領域に対向しないため、調理容器から放射される赤外線を受光することができないという課題を有していた。
【００１０】
本発明は、前記従来の課題を解決するもので、加熱コイルユニットの複数のセンサユニット取付部のうち、所定位置以外のセンサユニット取付部にセンサユニットが取り付けられるのを防止した誘導加熱調理器を提供することを目的とする。
【課題を解決するための手段】
【００１１】
前記従来の課題を解決するために、本発明の誘導加熱調理器は、複数の調理容器を載置する天板の下方に所定の間隔で設けられ、交流磁界を発生して調理容器を誘導加熱する加熱コイルと前記加熱コイルを支持するコイル支持板を有する第１及び第２の加熱コイルユニットと、前記第１及び第２の加熱コイルユニット下方に位置し、前記第１及び第２の加熱コイルユニットを支持する支持台と、前記第１及び第２の加熱コイルユニット下方に設けられ、調理容器から放射される赤外線を検出する受光部を含むセンサユニットを有し、前記コイル支持板は、前記センサユニットを取り付けるためのセンサユニット取付部を複数箇所有し、前記第２の加熱コイルユニットは、前記第１の加熱コイルユニットに対して所定の角度を回転した向きに配置され、前記第１及び第２の加熱コイルユニットそれぞれの前記センサユニットは、前記誘導加熱調理器本体を上方から見て前記加熱コイルに対して同じ位置に位置するよう、前記複数のセンサユニット取付部のそれぞれ異なる位置に取り付けられている。
【００１２】
前記支持台には上方へ突き出した突起部が設けられており、前記突起部は、前記コイル支持板のセンサユニットが取り付けられていない側のセンサユニット取付部に対向し、前記突起部の先端はセンサユニット下面より上方に位置している。
【００１３】
さらに、センサユニットを第１または第２の加熱コイルユニットのコイル支持板に設けられた複数のセンサユニット取付部のうち、所定箇所以外に取り付けられた場合、支持台に設けられた突起部先端に前記センサユニットの下面が当接することにより、前記第１または第２の加熱コイルユニットが所定の位置より持ち上がり、天板が誘導加熱調理器本体に装着できない構成としたものである。
【００１４】
これにより、センサユニットが支持板に設けられた複数のセンサユニット取付部のうち誤って所定外の箇所に取り付けられた場合、天板が装着できなくなるため、誤った箇所にセンサユニットが取り付けられたことを検出することができる。
【発明の効果】
【００１５】
本発明の誘導加熱調理器は、加熱コイルユニットの所定外の位置にセンサユニットが取り付けられたことを検出することができるため、センサユニットが誤装着されたことによる、調理容器から放射される赤外線をセンサユニットの受光部が受光できない事態を未然に防ぐことができる。
【図面の簡単な説明】
【００１６】
【図１】本発明の実施の形態１における誘導加熱調理器の斜視図
【図２】本発明の実施の形態１における誘導加熱調理器の加熱コイルユニットの配置を示す上面図
【図３】本発明の実施の形態１における誘導加熱調理器に配置された状態の第１の加熱コイルユニット及び第２の加熱コイルユニットの裏面図
【図４】本発明の実施の形態１における誘導加熱調理器の主要構成部品を示す分解斜視図
【図５】本発明の実施の形態１における誘導加熱調理器の加熱コイルユニット周辺の斜視図
【図６】本発明の実施の形態１における誘導加熱調理器の第１の加熱コイルユニット略中央を誘導加熱調理器本体後方から見た部分断面図
【図７】本発明の実施の形態１における誘導加熱調理器の第１の加熱コイルユニットに、センサユニットが所定の取付部ではない第２のセンサユニット取付部に取り付けられた状態の誘導加熱調理器本体後方から見た部分断面図
【発明を実施するための形態】
【００１７】
第１の発明は、外郭を構成する誘導加熱調理器本体の上部に位置し、複数の調理容器を載置する天板と、前記天板の下方に所定の間隔で設けられ、交流磁界を発生して調理容器を誘導加熱する加熱コイルと前記加熱コイルを支持するコイル支持板を有する第１及び第２の加熱コイルユニットと、前記第１及び第２の加熱コイルユニット下方に位置し、前記第１及び第２の加熱コイルユニットを支持する支持台と、前記コイル支持板に設けられ、調理容器から放射される赤外線を検出する受光部を含むセンサユニットと、前記受光部の出力に応じて前記加熱コイルに供給する電力を制御する制御手段とを備え、前記コイル支持板は、前記センサユニットを取り付けるためのセンサユニット取付部を複数箇所有し、前記第２の加熱コイルユニットは、前記第１の加熱コイルユニットに対して所定の角度を回転した向きに配置され、前記第１及び第２の加熱コイルユニットそれぞれの前記センサユニットは、前記誘導加熱調理器本体を上方から見て前記加熱コイルユニット中心から同じ位置に位置するよう、複数の前記センサユニット取付部のそれぞれ異なる位置に取り付けられた誘導加熱調理器において、前記支持台に上方へ突き出した複数の突起部を設け、前記突起部は、前記第１及び第２の加熱コイルユニットの前記コイル支持板の前記センサユニットが取り付けられていない前記センサユニット取付部に対向し、前記突起部の先端は前記センサユニット下面より上方に位置するよう構成したものであり、これにより誤って所定外の位置にセンサユニットが取り付けられた場合、加熱コイルユニットを支持台に載置した際、センサユニット下面が支持台の突起部先端に乗り上げることにより、加熱コイルユニットが所定の位置より浮き上がった状態となるため、センサユニットが所定の位置に取り付けられていない誤装着状態を検出することができる。
【００１８】
第２の発明は、特に、第１の発明の誘導加熱調理器のセンサユニットを第１または第２の加熱コイルユニットのコイル支持板に設けられた複数のセンサユニット取付部のうち、所定箇所以外に取り付けた場合、支持台に設けられた突起部先端に前記センサユニットの下面が当接することにより、前記第１または第２の加熱コイルユニットが所定の位置より持ち上がり、天板が誘導加熱調理器本体に装着できない構成としたものであり、センサユニットの誤装着をより確実に検出することができる。
【００１９】
第３の発明は、特に、第１または第２の発明の誘導加熱調理器の第１及び第２の加熱コイルユニットを同部材で同形状に構成したものであり、複数の加熱コイルユニットが共用できることによって、類似部品の使用間違いを防止でき、また部品の種類増加を抑制できることで部品管理の煩わしさも軽減し、コストも抑制することができる。
【００２０】
第４の発明は、特に、第１から３のいずれか１つの発明の誘導加熱調理器の突起部を支持台と一体で構成したものであり、従来の構成から部品数を増やさずに済む。
以下、本発明の実施の形態について、図面を参照しながら説明する。なお、この実施の形態によって本発明が限定されるものではない。
【００２１】
（実施の形態１）
図１は、本発明の第１の実施の形態における誘導加熱調理器の斜視図を示すものである。但し、本実施の形態の説明に不要な構成部分については主要構成であっても省略している。
【００２２】
図１において、誘導加熱調理器は外郭を構成する本体１と、本体１の上部に装着され鍋やフライパン等の調理容器２が載置される天板３とを備えている。天板３は、赤外線を透過する結晶化ガラス等の高耐熱の絶縁材料により板状に形成されている。また、天板３には、調理容器２を載置する範囲である複数の加熱部３ａが印刷等により略環状に表示されている。
【００２３】
図２は、本発明の第１の実施の形態における誘導加熱調理器の加熱コイルユニットの配置を示す上面図である。
【００２４】
図２において、天板３の加熱部３ａに対向した下方には、高周波電流を流すことにより高周波磁界を発生させて調理容器２を誘導加熱する略円盤状の加熱コイル４及び加熱コイル４を支持するコイル支持板５を有する第１の加熱コイルユニット６及び第２の加熱コイルユニット７が配されている。
【００２５】
コイル支持板５は、耐熱性の高い樹脂材料で形成されている。第１の加熱コイルユニット６と第２の加熱コイルユニット７は、共通の部材からなる同形状であり、第１の加熱コイルユニット６に対し、第２の加熱コイルユニット７は、角度α回転した向きで配置される。
【００２６】
なお、第１の加熱コイルユニット６と第２の加熱コイルユニット７は、共通の部材からなる同形状に限定されるものではなく、異なる材料や異なる形状の部材を使用してもよい。
【００２７】
第１の加熱コイルユニット６と第２の加熱コイルユニット７の下方に、加熱コイル４の中心より手前側にそれぞれ赤外線を受光する受光部８を備えており、コイル支持板５の受光部８上方には、調理容器２から放射される赤外線を受光部８に導くための導光部５ａが開口している。
【００２８】
なお、受光部８の位置は、加熱コイル４の中心より手前側の位置だけに限定されるものではなく、例えば、加熱コイル４の中心より奥側や、右側、左側、あるいは加熱コイル４の中心から斜め方向に位置してもよいが、いずれに位置する場合でも、第１の加熱コイルユニット６と第２の加熱コイルユニット７に設けられるそれぞれの受光部８の位置は、それぞれの加熱コイル４に対して同じ位置とする。
【００２９】
図３は、本発明の第１の実施の形態における誘導加熱調理器に配置された状態の第１の加熱コイルユニット及び第２の加熱コイルユニットの裏面図である。
【００３０】
図３において、第１の加熱コイルユニット６のコイル支持板５裏面の第１のセンサユニット取付部５ｂに、センサユニット９がねじ１０で締結されている。センサユニット９の外郭は、電磁シールド効果のある金属材料等で形成されている。さらに、センサユニット９を第１の加熱コイルユニット６の中心から角度α回転した位置にも取り付けられるよう、第２のセンサユニット取付部５ｃが設けられている。
【００３１】
また、第２の加熱コイルユニット７は、コイル支持板５裏面の第２のセンサユニット取付部５ｃにセンサユニット９がねじ１０で締結されており、さらに、センサユニット９を第２の加熱コイルユニット７の中心から角度α回転した位置にも取り付けられるよう、第１のセンサユニット取付部５ｂが設けられている。
【００３２】
このように、第１の加熱コイルユニット６と第２の加熱コイルユニット７は、共通の部
材からなる同形状であるが、他方が角度α回転した向きで配置されるため、センサユニット９を第１の加熱コイルユニット６及び第２の加熱コイルユニット７の中央手前側に配置するためには、コイル支持板５に設けた第１のセンサユニット取付部５ｂ及び第２のセンサユニット取付部５ｃの、それぞれ異なる箇所に取り付けることとなる。
【００３３】
図４は、本発明の第１の実施の形態における誘導加熱調理器の主要構成部品を示す分解斜視図である。図５は、本発明の第１の実施の形態における誘導加熱調理器の加熱コイルユニット周辺の斜視図である。
【００３４】
図４において、受光部８に対向した天板３の加熱部３ａには、調理容器２から放射される赤外線を受光部８に照射するための赤外線入射領域３ｂが形成されており、天板の入射領域３ｂを除いた範囲は、日光等の外乱光による受光部８への影響を防ぐため、赤外線が透過しないよう遮光膜（図示せず）が印刷等の手段により形成されている。
【００３５】
また、受光部８の出力に応じて加熱コイル４に供給する電力を制御するための制御手段１１が本体１内部に設けられている。
【００３６】
第１の加熱コイルユニット６及び第２の加熱コイルユニット７は、コイル支持板５の下面の複数箇所が複数のスプリング１２によって支持され、スプリング１２は、本体１に設けた支持台１３のガイド部１３ａに沿って載置される。
【００３７】
図５に示す、第１の加熱コイルユニット６及び第２の加熱コイルユニット７の第１のセンサユニット取付部５ｂ及び第２のセンサユニット取付部５ｃのうち、いずれかセンサユニット９を取り付けない箇所、すなわち第１の加熱コイルユニット６は、第２のセンサユニット取付部５ｃ、第２の加熱コイルユニット７は、第１のセンサユニット取付部５ｂとなるが、支持台１３のこれら第１のセンサユニット取付部５ｂ、第２のセンサユニット取付部５ｃに対向した位置に、上方へ突き出した突起部１３ｂが設けられている。
【００３８】
突起部１３ｂは支持台１３と一体あるいは別体で構成され、突起部１３ｂの先端は、センサユニット９下面より上方に位置している。
【００３９】
図６は、本発明の第１の実施の形態における誘導加熱調理器の第１の加熱コイルユニット略中央を誘導加熱調理器本体後方から見た部分断面図である。
【００４０】
図６において、天板３はその外周付近がフレーム１４およびアンダーフレーム１４ａに装着され、アンダーフレーム１４ａは本体１にフレーム固定ねじ１５にて締結されている。第１の加熱コイルユニット６上部には、シリコンゴム等の、耐熱性が高く緩衝作用のある材料で形成された複数の緩衝部材１６がコイル支持板５に設けられており、緩衝部材１６の上面は天板３に当接している。
【００４１】
天板３を載置していない状態では、第１の加熱コイルユニット６はスプリング１２によって所定の位置より持ち上がった状態であるが、天板３を載置すると緩衝部材１６に天板３が当接し、さらにスプリング１２が収縮して第１の加熱コイルユニット６は所定の位置に納まる。
【００４２】
第１の加熱コイルユニット６のコイル支持板５の第１のセンサユニット取付部５ｂにセンサユニット９がねじ１０で取り付けられている。
【００４３】
本図は、第１の加熱コイルユニット６の断面図であるが、第２の加熱コイルユニット７については、センサユニット９の取付部が第２のセンサユニット取付部５ｃとなる以外は
本図で説明した構成と同様である。
【００４４】
図７は、本発明の第１の実施の形態における誘導加熱調理器の第１の加熱コイルユニットに、センサユニットが所定の取付部ではない第２のセンサユニット取付部に取り付けられた状態の誘導加熱調理器本体後方から見た部分断面図である。
【００４５】
図７において、コイル支持板５の第２のセンサユニット取付部５ｃにセンサユニット９が取り付けられている。本来、第１の加熱コイルユニット６のセンサユニット９は、第１のセンサユニット取付部５ｂに取り付けられる。
【００４６】
所定の取付部ではない第２のセンサユニット取付部５ｃにセンサユニット９が取り付けられると、第１の加熱コイルユニット６をスプリング１２上に載置した際、第２のセンサユニット取付部５ｃ下方に位置する支持台１３の突起部１３ｂ先端にセンサユニット９が当接する。
【００４７】
以上のように構成された加熱調理器について、以下その動作、作用を説明する。
【００４８】
第１の加熱コイルユニット６と第２の加熱コイルユニット７は、共通の部材からなる同形状で、他方が角度α回転した向きで配置されるため、本発明の誘導加熱調理器を組み立てる際、それぞれのセンサユニット９をコイル支持板５の第１のセンサユニット取付部５ｂと、第１のセンサユニット取付部５ｂから角度α回転した位置にある第２のセンサユニット取付部５ｃに取り付けることとなる。
【００４９】
その際、誤ってセンサユニット９を所定の取付部ではないセンサユニット取付部、すなわち第１の加熱コイルユニット６では第２のセンサユニット取付部５ｃ、第２の加熱コイルユニット７では第１のセンサユニット取付部５ｂに取り付けた場合、第１の加熱コイルユニット６または第２の加熱コイルユニット７を支持台１３上のスプリング１２に載置した際、支持台１３の突起部１３ｂ先端にセンサユニット９が当接し、第１の加熱コイルユニット６または第２の加熱コイルユニット７は所定の位置より持ち上がった状態となり、天板３を載置すると、天板３は持ち上がった第１の加熱コイルユニット６または第２の加熱コイルユニット７の緩衝部材１６に当接するため、同様に所定の位置より持ち上がった状態となる。
【００５０】
この結果、天板３が装着されるアンダーフレーム１４ａを本体１にフレーム固定ねじ１５で締結することができないため、第１の加熱コイルユニット６または第２の加熱コイルユニット７が、所定の位置より持ち上がった状態であることが認識でき、センサユニット９が所定の箇所に取り付いていないことを検出できるため、調理容器２から放射される赤外線をセンサユニット９の受光部８が受光できない事象を未然に防ぐことができる。
【００５１】
以上の作用および効果は、生産工場での組み立てにおいてのみならず、故障時の修理やメンテナンス等で本体１内部を分解し、その後組み立てる場合についても同様であり、分解時に一旦、本体１から外した、センサユニット９が取り付いた状態の第１の加熱コイルユニット６及び第２の加熱コイルユニット７を再び支持台１３上のスプリング１２に載置する際に、誤って第１の加熱コイルユニット６と第２の加熱コイルユニット７を反対の位置に載置する恐れがあるが、その場合においても、天板３が装着されるアンダーフレーム１４ａを本体１にフレーム固定ねじ１５で締結することができないため、修理やメンテナンスの後で、調理容器２から放射される赤外線をセンサユニット９の受光部８が受光できなくなることを防ぐことができる
【産業上の利用可能性】
【００５２】
以上のように、本発明にかかる誘導加熱調理器は、調理容器を誘導加熱するとともに、赤外線受光手段を用いて調理容器の温度を制御する家庭用及び業務用の誘導加熱調理器に有効である。
【符号の説明】
【００５３】
１  本体
２  調理容器
３  天板
４  加熱コイル
５  コイル支持板
５ｂ  第１のセンサユニット取付部
５ｃ  第２のセンサユニット取付部
６  第１の加熱コイルユニット
７  第２の加熱コイルユニット
８  受光部
９  センサユニット
１１  制御手段
１３  支持台
１３ｂ  突起部
【図１】
2012156041.tif 000003
【図２】
2012156041.tif 000004
【図３】
2012156041.tif 000005
【図４】
2012156041.tif 000006
【図５】
2012156041.tif 000007
【図６】
2012156041.tif 000008
【図７】
2012156041.tif 000009